(57)【要約】【課題】印刷ミスのおそれを低減することができる印刷装置を提供する。【解決手段】印刷装置は、複数の印刷機能を有する。印刷装置は、印刷に関連するデータを表示する表示部と、用紙に画像を印刷する印刷部と、印刷部によって画像が印刷される用紙をセットする用紙セット部と、用紙セット部にセットされる用紙のサイズおよび用紙のメディアタイプのうちの少なくともいずれか一方のデータを入力させる入力部と、入力部により入力されたデータに基づいて、複数の印刷機能のそれぞれについて、用紙セット部にセットされた用紙に対して設定することが可能か否かを判断する第一の判断部と、第一の判断部による判断結果を表示部に表示させるよう制御する制御部とを備える。【選択図】図５
2016068353.tif 000002
【特許請求の範囲】
【請求項１】
複数の印刷機能を有する印刷装置であって、
印刷に関連するデータを表示する表示部と、
用紙に画像を印刷する印刷部と、
前記印刷部によって画像が印刷される前記用紙をセットする用紙セット部と、
前記用紙セット部にセットされる前記用紙のサイズおよび前記用紙のメディアタイプのうちの少なくともいずれか一方のデータを入力させる入力部と、
前記入力部により入力された前記データに基づいて、複数の前記印刷機能のそれぞれについて、前記用紙セット部にセットされた用紙に対して設定することが可能か否かを判断する第一の判断部と、
前記第一の判断部による判断結果を前記表示部に表示させるよう制御する制御部とを備える、印刷装置。
【請求項２】
前記用紙セット部にセットされた前記用紙に対して処理を施す処理機能を複数有する処理装置と、
前記入力部に入力された前記データに基づいて、複数の前記処理機能のそれぞれについて、前記用紙セット部にセットされた前記用紙に対して設定することが可能か否かを判断する第二の判断部とを備え、
前記制御部は、前記第二の判断部による判断結果を前記表示部に表示させるよう制御する、請求項１に記載の印刷装置。
【請求項３】
前記制御部は、前記第一の判断部により可能と判断された前記印刷機能、および前記第二の判断部により可能と判断された前記処理機能のうちの少なくともいずれか一つを前記表示部により表示する、請求項２に記載の印刷装置。
【請求項４】
前記制御部は、前記第一の判断部により不可能と判断された前記印刷機能、および前記第二の判断部により不可能と判断された前記処理機能のうちの少なくともいずれか一つを、グレーアウトして表示する、請求項２または３に記載の印刷装置。
【請求項５】
前記用紙セット部は、複数設けられており、
前記制御部は、複数の前記用紙セット部における前記第一の判断部による判断結果、および前記第二の判断部による判断結果のうちの少なくともいずれか一方を前記表示部に表示するよう制御する、請求項２〜４のいずれか１項に記載の印刷装置。
【請求項６】
前記制御部は、前記印刷部により印刷されるべきプレビュー画面を前記表示部に表示するよう制御する、請求項１〜５のいずれか１項に記載の印刷装置。
【請求項７】
複数の前記印刷機能の設定には、モノクロ印刷かカラー印刷かの設定、および両面印刷か片面印刷かの設定のうちの少なくともいずれか一つを含む、請求項１〜６のいずれか１項に記載の印刷装置。
【請求項８】
複数の前記処理機能には、パンチ機能、およびステープル機能のうちの少なくともいずれか一つの機能を含む、請求項２〜７のいずれか１項に記載の印刷装置。
【請求項９】
複数の印刷機能を有する印刷装置と、前記印刷装置に接続され、前記印刷装置に対して印刷を要求することができるコンピューターとを含む印刷システムであって、
前記印刷装置は、用紙に画像を印刷する印刷部と、
前記印刷部によって画像が印刷される前記用紙をセットする用紙セット部とを備え、
前記印刷装置および前記コンピューターのいずれか一方は、印刷に関連するデータを表示する表示部と、
前記用紙セット部にセットされる前記用紙のサイズおよび前記用紙のメディアタイプのうちの少なくともいずれか一方のデータを入力させる入力部と、
前記入力部により入力された前記データに基づいて、複数の前記印刷機能のそれぞれについて、前記用紙セット部にセットされた用紙に対して設定することが可能か否かを判断する第一の判断部と、
前記第一の判断部による判断結果を前記表示部に表示させるよう制御する制御部とを備える、印刷システム。
【発明の詳細な説明】
【技術分野】
【０００１】
この発明は、印刷装置、および印刷システムに関するものである。
【背景技術】
【０００２】
デジタル複合機等に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナー等の現像剤を供給して可視画像とした後、給紙された用紙に転写して定着させ、装置外に排出する。
【０００３】
ここで、画像形成装置における給紙に関する技術が、特開平７−２７１２４６号公報（特許文献１）、特開平１１−３２１３９号公報（特許文献２）、および特開２００８−２８１６６６号公報（特許文献３）に開示されている。
【０００４】
特許文献１によると、記録材を手差し給紙する手差し給紙モードを設定するモード設定手段と、モード設定手段による手差し給紙モードの設定に応じて、手差し給紙される記録材の材質を設定する材質設定手段とを有することを特徴とする画像形成装置が開示されている。
【０００５】
特許文献２によると、第１、第２の給紙トレイのいずれかがプリンター専用給紙トレイとして設定されている状態で印刷出力要求があったとき、その要求内容を判別し、その要求内容がコンピューターからの画像データの印刷出力であれば、プリンター専用給紙トレイとして設定されている給紙トレイからの給紙を許可し、コンピューターから指示された給紙トレイから給紙を行う画像形成装置が開示されている。また、特許文献２に開示の画像形成装置によると、要求内容がＦＡＸ受信する画像データの印刷出力であれば、プリンター専用給紙トレイとして設定されている給紙トレイからの給紙を禁止し、それ以外の給紙トレイから給紙を行うこととしている。
【０００６】
特許文献３によると、複数の給紙カセットを備え、給紙カセットからの用紙の選択的な供給を受けて印刷部にて印刷を行う画像形成装置であって、給紙カセットに応じて処理可能な機能を記憶するカセット機能記憶部と、機能を選択して優先的な設定の入力が可能な入力部と、入力部で優先的に設定された機能とカセット機能記憶部に記憶された給紙カセット毎の処理可能な機能とに基づいて給紙カセットを選定するカセット選定部とを有することを特徴とする画像形成装置が開示されている。
【先行技術文献】
【特許文献】
【０００７】
【特許文献１】特開平７−２７１２４６号公報
【特許文献２】特開平１１−３２１３９号公報
【特許文献３】特開２００８−２８１６６６号公報
【発明の概要】
【発明が解決しようとする課題】
【０００８】
ユーザーが、印刷装置において印刷を行う場合、印刷に先立って、給紙カセットや手差しトレイといった用紙をセットするための用紙セット部に用紙を収納する。ここで、用紙セット部に用紙をセットした際に、用紙の材質のタイプ、すなわち、メディアタイプや用紙のサイズ、さらには詳細な設定を入力する場合がある。この場合、用紙のサイズやメディアタイプによっては、設定が不可能な印刷装置の機能も存在する。このような場合、ユーザーが、誤って設定が不可能な印刷機能を設定してしまうこともある。そうすると、印刷ミスを生じさせる場合がある。また、ユーザーにとっても、入力した用紙のサイズやメディアタイプによって、どのような機能が設定できるか不明であり、このような状況を避けることが好ましい。特許文献１〜特許文献３に開示の技術では、対応することができない。
【０００９】
この発明の目的は、印刷ミスのおそれを低減することができる印刷装置を提供することである。
【００１０】
この発明の他の目的は、印刷ミスのおそれを低減することができる印刷システムを提供することである。
【課題を解決するための手段】
【００１１】
この発明に係る印刷装置は、複数の印刷機能を有する。印刷装置は、印刷に関連するデータを表示する表示部と、用紙に画像を印刷する印刷部と、印刷部によって画像が印刷される用紙をセットする用紙セット部と、用紙セット部にセットされる用紙のサイズおよび用紙のメディアタイプのうちの少なくともいずれか一方のデータを入力させる入力部と、入力部により入力されたデータに基づいて、複数の印刷機能のそれぞれについて、用紙セット部にセットされた用紙に対して設定することが可能か否かを判断する第一の判断部と、第一の判断部による判断結果を表示部に表示させるよう制御する制御部とを備える。
【００１２】
このような印刷装置によると、入力部により入力されたデータに基づいて、複数の印刷機能のそれぞれについて、用紙セット部にセットされた用紙に対して設定することが可能か否かを判断する。そして、判断結果を表示部に表示させるよう制御する。そうすると、例えば、判断結果に応じて、複数の印刷機能のうち、設定することが可能な印刷機能を表示部により表示させて、印刷機能の設定を促すことができる。また、設定が不可能な印刷機能を非表示として、設定が不可能な印刷機能の設定を回避することができる。したがって、このような印刷装置は、印刷機能の設定の誤りに基づく印刷ミスのおそれを低減することができる。
【００１３】
この発明の他の局面において、印刷システムは、複数の印刷機能を有する印刷装置と、印刷装置に接続され、印刷装置に対して印刷を要求することができるコンピューターとを含む。印刷装置は、用紙に画像を印刷する印刷部と、印刷部によって画像が印刷される用紙をセットする用紙セット部とを備える。印刷装置およびコンピューターのいずれか一方は、印刷に関連するデータを表示する表示部と、用紙セット部にセットされる用紙のサイズおよび用紙のメディアタイプのうちの少なくともいずれか一方のデータを入力させる入力部と、入力部により入力されたデータに基づいて、複数の印刷機能のそれぞれについて、用紙セット部にセットされた用紙に対して設定することが可能か否かを判断する第一の判断部と、第一の判断部による判断結果を表示部に表示させるよう制御する制御部とを備える。
【００１４】
このような印刷システムによると、印刷ミスのおそれを低減することができる。
【発明の効果】
【００１５】
このような印刷装置によると、入力部により入力されたデータに基づいて、複数の印刷機能のそれぞれについて、用紙セット部にセットされた用紙に対して設定することが可能か否かを判断する。そして、判断結果を表示部に表示させるよう制御する。そうすると、例えば、判断結果に応じて、複数の印刷機能のうち、設定することが可能な印刷機能を表示部により表示させて、印刷機能の設定を促すことができる。また、設定が不可能な印刷機能を非表示として、設定が不可能な印刷機能の設定を回避することができる。したがって、このような印刷装置は、印刷機能の設定の誤りに基づく印刷ミスのおそれを低減することができる。
【００１６】
このような印刷システムによると、印刷ミスのおそれを低減することができる。
【図面の簡単な説明】
【００１７】
【図１】この発明の一実施形態に係る印刷装置をデジタル複合機に適用した場合のデジタル複合機の外観を示す概略図である。
【図２】この発明の一実施形態に係る印刷装置をデジタル複合機に適用した場合のデジタル複合機の構成を示すブロック図である。
【図３】操作部の概略的な構成を示す外観図である。
【図４】画像形成部の概略的な構成を示す図である。
【図５】給紙カセットに各種の設定を行う場合の処理の内容を示すフローチャートである。
【図６】用紙のサイズおよびメディアタイプ等を設定する際の操作部の表示画面の一例を示す図である。
【図７】機能の許可設定を行う場合の操作部の表示画面の一例を示す図である。
【図８】印刷機能の許可設定をする際の操作部の表示画面の一例を示す図である。
【図９】後処理装置の処理機能の許可設定を行う場合の操作部の表示画面の一例を示す図である。
【図１０】パンチ処理の許可設定を行う場合の操作部の表示画面の一例を示す図である。
【図１１】印刷機能の設定を行う場合の操作部の表示画面の他の例を示す図である。
【図１２】印刷機能の許可設定について給紙段を表示する場合の操作部の表示画面の他の例を示す図である。
【発明を実施するための形態】
【００１８】
以下、この発明の実施の形態を説明する。まず、この発明の一実施形態に係る印刷装置をデジタル複合機に適用した場合のデジタル複合機の構成について説明する。図１は、この発明の一実施形態に係る印刷装置をデジタル複合機に適用した場合のデジタル複合機の外観を示す概略図である。図２は、この発明の一実施形態に係る印刷装置をデジタル複合機に適用した場合のデジタル複合機の構成を示すブロック図である。
【００１９】
図１および図２を参照して、デジタル複合機１１は、デジタル複合機１１全体の制御を行う制御部１２と、デジタル複合機１１側から発信する情報やユーザーの入力内容を表示する表示部としての表示画面２１を含み、印刷部数や階調性等の画像形成の条件や電源のオンオフを入力させる操作部１３と、セットされた原稿を自動的に読み取り部へ搬送するＡＤＦ（Ａｕｔｏ  Ｄｏｃｕｍｅｎｔ  Ｆｅｅｄｅｒ）２２を含み、原稿の画像を読み取る画像読み取り部１４と、手差しで用紙をセットする手差しトレイ２８やそれぞれ複数枚の用紙を収納可能な第一の給紙カセット２３ａ、第二の給紙カセット２３ｂ、第三の給紙カセット２３ｃを含み、画像を形成する用紙をセットする用紙セット部１９と、読み取った画像やネットワーク２５を介して送信された画像データを基に画像を形成する画像形成部１５と、画像形成部１５により用紙に画像を形成した後に用紙を排出する排出トレイ２９と、送信された画像データや入力された画像形成条件等の格納を行うハードディスク１６と、公衆回線２４に接続されており、ファクシミリ送信やファクシミリ受信を行うファクシミリ通信部１７と、ネットワーク２５と接続するためのネットワークインターフェース部１８と、印刷の終了した用紙の端部に貫通孔を開けるパンチ機構４２、印刷の終了した複数枚の用紙を束ねて端部をステープルで綴じるステープル機構４３、および印刷の終了した複数枚の用紙を折る等して製本を行う製本機構４４を含む後処理装置４１とを備える。用紙に後処理を施す後処理装置４１は、フィニッシャーとも呼ばれるものであり、デジタル複合機１１に着脱可能に取り付けられている。なお、デジタル複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。
【００２０】
デジタル複合機１１は、画像読み取り部１４により読み取られた原稿を用いて画像形成部１５において画像を形成することにより、複写機として作動する。すなわち、デジタル複合機１１は、印刷の種別として、コピー印刷を含む。また、デジタル複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、デジタル複合機１１は、印刷の種別として、プリンター印刷を含む。また、画像形成部１５は、要求された画像を印刷する印刷部として作動する。デジタル複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。すなわち、デジタル複合機１１は、印刷の種別として、ファクシミリ印刷を含む。デジタル複合機１１は、画像処理に関し、複写機能、プリンター機能、ファクシミリ機能等、複数の機能を有する。さらに、各機能に対しても、詳細に設定可能な機能を有する。
【００２１】
この発明の一実施形態に係る印刷システム２７は、デジタル複合機１１と、複数のコンピューター２６ａ、２６ｂ、２６ｃとを備える。具体的には、印刷システム２７は、上記した構成のデジタル複合機１１と、ネットワーク２５を介してデジタル複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、デジタル複合機１１に対して、ネットワーク２５を介して印刷要求を行って印刷をすることができる。デジタル複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他のデジタル複合機やサーバーが接続されている構成でもよい。
【００２２】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号を入力させるテンキー３１と、印刷の開始やファクシミリ送信の開始を指示させるスタートキー３２と、デジタル複合機１１の電源のオンオフを入力させる電源キー３３と、デジタル複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。
【００２３】
次に、デジタル複合機１１に備えられる画像形成部１５の構成について、さらに詳細に説明する。図４は、この発明の一実施形態に係るデジタル複合機１１の概略的な構成を示す断面図である。なお、理解の容易の観点から、図４において、部材のハッチングを省略する。また、図４は、上下方向に延びる平面でデジタル複合機１１を切断した場合の断面図である。
【００２４】
図４を参照して、画像形成部１５は、イエロー、マゼンタ、シアン、ブラックの各４色に対応する４つの作像ユニット５１ａ、５１ｂ、５１ｃ、５１ｄを含む作像器５２と、画像読み取り部１４によって読み取った画像を基に、４つの作像ユニット５１ａ〜５１ｄにそれぞれ露光するＬＳＵ（Ｌａｓｅｒ  Ｓｃａｎｎｅｒ  Ｕｎｉｔ）５３と、作像ユニット５１ａ〜５１ｄによって形成された可視画像を用紙に転写する前に一時的に転写される中間転写体としての転写ベルト５４とを備える。転写ベルト５４は、無端状であって、一対の駆動ローラー５５ａ、５５ｂによって一方方向に回転しながら、イエロー、マゼンタ、シアン、ブラックの４色の作像ユニット５１ａ〜５１ｄにより形成された可視画像を転写される。その後、搬送されてきた用紙に転写ベルト５４上に転写された可視画像が転写され、図示しない定着ユニットにより可視画像が用紙に定着された後、デジタル複合機１１外、具体的には、排出トレイ２９上に排出される。デジタル複合機１１は、ブラックの作像ユニット５１ｄのみを用いたモノクロ印刷が可能である。また、デジタル複合機１１は、イエローの作像ユニット５１ａ、マゼンタの作像ユニット５１ｂ、およびシアンの作像ユニット５１ｃの少なくともいずれか一つを用いたカラー印刷が可能である。
【００２５】
次に、この発明の一実施形態に係るデジタル複合機１１を用いて、まず、第一の給紙カセット２３ａにＡ５サイズの普通紙をセットする場合について説明する。ここでは、印刷者であるユーザーがデジタル複合機１１を用いて、第一〜第三の給紙カセット２３ａ〜２３ｃのうち、最上段に配置される第一の給紙カセット２３ａにＡ５サイズの普通紙をセットし、第一の給紙カセット２３ａの設定を行う場合について説明する。この実施形態においては、第一の給紙カセット２３ａには、用紙のサイズとしてＡ５サイズ、メディアタイプとして、普通紙である用紙を設定するものとする。なお、Ａ５サイズの用紙について、デジタル複合機１１は、パンチ処理は可能であるが、ステープル処理は不可能な設定である。
【００２６】
図５は、第一の給紙カセット２３ａに各種の設定を行う場合の処理の内容を示すフローチャートである。図５を参照して、まず、デジタル複合機１１は、操作部１３の表示画面２１において、用紙セット部１９のうち、用紙がセットされ、各種の設定を行う第一〜第三の給紙カセット２３ａ〜２３ｃまたは手差しトレイ２８を指定させる（図５において、ステップＳ１１、以下、「ステップ」を省略する）。ここでは、１番上の段に配置された第一の給紙カセット２３ａを指定させる。
【００２７】
次に、第一の給紙カセット２３ａに収容された用紙について、用紙のサイズ、メディアタイプ等の設定を行う。図６は、用紙のサイズおよびメディアタイプ等を設定する際の操作部１３の表示画面２１の一例を示す図である。図６を参照して、表示画面２１には、「各種の設定をしてください。」とのメッセージ６１ａと、設定の対象の給紙段が第一の給紙カセット２３ａであることを認識させるための「第一の給紙カセット」との表示６１ｂと、押下により用紙のサイズを設定させる表示画面２１へ移行する「用紙のサイズ」と表記された選択キー６２ａと、押下により用紙のメディアタイプを設定させる表示画面２１へ移行する「用紙のメディアタイプ」と表記された選択キー６２ｂと、押下により機能の許可設定をさせる表示画面２１へ移行する「機能の許可設定」と表記された選択キー６２ｃとが表示されている。
【００２８】
ここで、ユーザーは、用紙サイズおよびメディアタイプを入力する。具体的には、ユーザーは、選択キー６２ａを押下し、用紙のサイズを入力させる表示画面２１へ移行させる。そして、第一の給紙カセット２３ａに収容される用紙のサイズとして、Ａ５サイズを選択し、入力する。また、ユーザーは、選択キー６２ｂを押下し、用紙のメディアタイプを入力させる表示画面２１へ移行させる。そして、第一の給紙カセット２３ａに収容される用紙のメディアタイプとして、普通紙を選択し、入力する。制御部１２は、入力された用紙のサイズおよびメディアタイプを受け付ける（Ｓ１２）。
【００２９】
その後、制御部１２は、入力された用紙のサイズおよびメディアタイプに基づき、デジタル複合機１１の有する印刷機能から、利用可能な機能と利用が不可能な機能とを判断する。ここで、制御部１２は、第一の判断部として作動する。また、制御部１２は、入力された用紙のサイズおよびメディアタイプに基づき、デジタル複合機１１に備えられる後処理装置４１において、利用可能な処理機能と利用が不可能な処理機能とを判断する（Ｓ１３）。ここで、制御部１２は、第二の判断部として作動する。
【００３０】
第一の判断部および第二の判断部による判断の後、利用可能な印刷機能および利用可能な後処理装置４１の処理機能があれば（Ｓ１４において、ＹＥＳ）、これらを表示画面２１において表示する（Ｓ１５）。
【００３１】
ここで、ユーザーは、選択キー６２ｃを押下して、機能の許可設定を行う。具体的には、印刷機能の許可設定、および後処理装置４１の処理機能の許可設定を行う。図７は、機能の許可設定を行う場合の操作部１３の表示画面２１の一例を示す図である。図７を参照して、表示画面２１には、「用紙のサイズおよびメディアタイプは以下の通りです。」とのメッセージ６３ａと、指定した給紙カセットである「第一の給紙カセット」との表示６４ａと、用紙のサイズとして指定した「Ａ５」の表示６４ｂと、メディアタイプとして指定した「普通紙」の表示６４ｃと、「利用可能な機能は以下の通りです。」とのメッセージ６３ｂと、機能の設定画面へ移行させる「設定画面へ」と表示された選択キー６５ａと、印刷機能として利用可能な機能である「両面印刷」の表示６５ｂと、同じく印刷機能として利用可能な機能である「カラー印刷」の表示６５ｃと、後処理装置４１の処理機能として利用可能な「パンチ処理」の表示６５ｄとが表示されている。なお、後処理装置４１の処理機能として利用が不可能な「ステープル処理」は表示されていない。また、その他の利用可能な印刷機能および後処理装置４１の処理機能については、それらの図示を省略する。
【００３２】
その後、ユーザーは、利用可能な機能をこの表示画面２１で確認した後、印刷機能および処理機能を設定する。具体的には、ユーザーは、「設定画面へ」と表示された選択キー６５ａを押下する。制御部１２は、選択キー６５ａの押下を検知すると、図８に示す表示画面２１へ移行する。
【００３３】
図８は、機能の許可設定を行う場合の操作部１３の表示画面２１の一例を示す図である。図８を参照して、表示画面２１には、「機能の許可設定をしてください。」とのメッセージ６６ａと、設定の対象の給紙段が第一の給紙カセット２３ａであることを認識させる「第一の給紙カセット」との表示６６ｂと、「印刷機能の許可設定」と表示された選択キー６７ａと、「後処理装置の処理機能の許可設定」と表示された選択キー６７ｂとが表示されている。ユーザーは、選択キー６７ａを押下して、印刷機能の許可設定の表示画面２１に移行させた後、印刷機能の許可設定を行う。具体的には、選択キー６７ａを押下後、第一の給紙カセット２３ａに収納された用紙について、両面印刷を許可するか否か、カラー印刷を許可するか否かの設定をそれぞれ行う。
【００３４】
また、ユーザーは、選択キー６７ｂを押下して、後処理装置４１の処理機能の許可設定の表示画面２１に移行させた後、後処理装置４１の処理機能の許可設定を行う。
【００３５】
図９は、後処理装置４１の処理機能の許可設定を行う場合の操作部１３の表示画面２１の一例を示す図である。図９を参照して、表示画面２１には、「後処理装置の印刷機能の許可設定」とのメッセージ６８ａと、設定の対象の給紙段が第一の給紙カセット２３ａであることを認識させる「第一の給紙カセット」との表示６８ｂと、後処理装置４１の処理機能としてパンチ機構４２を用いたパンチ機能による処理を示す「パンチ処理」と表示された選択キー６９ａと、選択キー６９ａの横に表示されて、入力された用紙のサイズおよびメディアタイプから「パンチ処理」が設定可能であると判断されたことを示す「許可可能」との表示７０ａと、後処理装置４１の処理機能としてステープル機構４３を用いたステープル機能による処理を示す「ステープル処理」と表示された選択キー６９ｂと、選択キー６９ｂの横に表示されて、入力された用紙のサイズおよびメディアタイプから「ステープル機能」が設定不可能であると判断されたことを示す「不許可」との表示７０ｂと、許可可能な処理機能を全て許可することを選択させる「全て許可する」と表示された選択キー６９ｃとが表示されている。
【００３６】
なお、選択キー６９ｂにおけるステープル処理の表示は、ステープル処理が不許可、すなわち、設定ができないことから、グレーアウトして表示されている。したがって、この選択キー６９ｂを押下しても、何も変化がなく、設定を変更することができない。なお、グレーアウトの表示については、図９におけるハッチングで示している。
【００３７】
ここで、ユーザーは、パンチ機能の許可設定を行うため、選択キー６９ａを押下する。選択キー６９ａの押下の検知後、制御部１２は、表示画面２１を図１０に示すものに移行させる。
【００３８】
図１０は、パンチ処理の許可設定を行う場合の操作部１３の表示画面２１の一例を示す図である。図１０を参照して、表示画面２１には、設定する処理機能である「パンチ処理」との表示７１ａと、設定の対象の給紙段が第一の給紙カセット２３ａであることを認識させる「第一の給紙カセット」との表示７１ｂと、パンチ処理の許可を設定する「許可」と表示された選択キー７２ａと、パンチ処理の不許可を設定する「不許可」と表示された選択キー６２ｂとが表示されている。ユーザーは、いずれかの選択キー７２ａ、７２ｂを押下して、パンチ処理の許可または不許可の設定を行う。このようにして、他の処理機能の設定も行う。なお、上記した印刷機能の設定についても、同様に行われる。また、選択キー６９ｃを押下すると、許可状態にある全ての印刷機能および後処理装置４１の処理機能を許可と設定することができる。したがって、許可状態にある全ての印刷機能および後処理装置４１の処理機能を許可と設定したい場合にこの選択キー６９ｃを利用することにより、より容易に設定することができる。
【００３９】
このようにして、印刷機能の設定および後処理装置４１の処理機能の設定を受け付ける（Ｓ１６）。その後、受け付けた設定で印刷機能および後処理装置４１の処理機能を用いて、印刷を実行する（Ｓ１７）。
【００４０】
このようなデジタル複合機１１によると、入力された用紙のサイズのデータおよび用紙のメディアタイプのデータに基づいて、複数の印刷機能のそれぞれについて、第一の給紙カセット２３ａにセットされた用紙に対して設定することが可能か否かを判断する。また、入力された用紙のサイズのデータおよび用紙のメディアタイプのデータに基づいて、複数の後処理装置４１の処理機能のそれぞれについて、第一の給紙カセット２３ａにセットされた用紙に対して設定することが可能か否かを判断する。そして、判断結果を表示画面２１に表示させるよう制御する。そうすると、判断結果に応じて、複数の印刷機能および複数の後処理装置４１の処理機能のうち、設定することが可能な印刷機能および設定することが可能な後処理装置４１の処理機能を表示させて、印刷機能および後処理装置４１の処理機能の設定を促すことができる。また、設定が不可能な印刷機能および後処理装置４１の処理機能をグレーアウトによる表示として、設定が不可能な印刷機能の設定および設定が不可能な後処理装置４１の処理機能の設定を回避することができる。したがって、このようなデジタル複合機１１は、印刷機能の設定および後処理装置４１の処理機能の設定の誤りに基づく印刷ミスのおそれを低減することができる。
【００４１】
この場合、設定が不可能な印刷機能および後処理装置４１の処理機能についてグレーアウトして表示するため、グレーアウトされた印刷機能および後処理装置４１の処理機能は不許可として設定はできないものの、ユーザーは、デジタル複合機１１の有する印刷機能および後処理装置４１の処理機能として認識することができる。
【００４２】
なお、デジタル複合機１１については、複数の用紙セット部１９における第一の判断部による判断結果、および第二の判断部による判断結果のうちの少なくともいずれか一方を表示画面２１に表示するよう制御するようにしてもよい。また、印刷部により印刷されるべきプレビュー画面を表示画面２１に表示するよう制御するようにしてもよい。
【００４３】
図１１は、印刷機能の設定を行う場合の操作部１３の表示画面２１の他の例を示す図である。図１１を参照して、表示画面２１には、画像読み取り部１４により原稿の画像を読み取って印刷を行う画像をプレビュー表示したプレビュー画像７３と、印刷機能を設定する選択キーを表示するウィンドウ７４と、「拡大／縮小」と表示されており、印刷機能として拡大または縮小を設定させる選択キー７５ａと、「枠消し」と表示されており、印刷機能として枠消しの有無を設定させる選択キー７５ｂと、「給紙段表示」と表示されており、押下によりデジタル複合機１１に備えられている各給紙段の表示および各給紙段に対して設定された印刷機能で印刷が可能か不可能かの表示を拡大して示す選択キー７５ｃとが表示されている。図１２は、選択キー７５ｃを押下した場合の印刷機能の設定を行う場合の操作部１３の表示画面２１の他の例を示す図である。
【００４４】
図１１および図１２を参照して、選択キー７５ａまたは選択キー７５ｂを押下し、選択キー７５ｃを押下すると、各給紙段、すなわち、手差しトレイ２８や、第一〜第三の給紙カセット２３ａ〜２３ｃについての設定の可否が表示される。具体的には、「手差しトレイ：許可可能、第一の給紙カセット：不許可、…」との表示７５ｄが表れる。すなわち、入力した用紙のサイズおよびメディアタイプに応じて判断された印刷機能が設定可能な給紙段と設定が不可能な給紙段とが表示される。この表示７５ｄを参考にして、ユーザーは、プレビュー画像７３を見ながら、例えば、「拡大／縮小」を設定して印刷を行う際の給紙段を設定する。こうすることにより、設定された印刷機能で設定が不可能な給紙段を指定するおそれを低減することができ、操作性を良好にすることができる。
【００４５】
なお、例えば、メディアタイプとして、厚紙が入力された場合やＯＨＰ（Ｏｖｅｒｈｅａｄ  Ｐｒｏｊｅｃｔｅｒ）シートが入力された場合、両面印刷、ステープル処理について、許可または不許可の設定が禁止される。すなわち、印刷や処理ができないものとして選択の余地がなく、不許可が設定される。
【００４６】
また、上記の実施の形態においては、第一の給紙カセット２３ａの設定について説明したが、これに限らず、第二の給紙カセット２３ｂ、第三の給紙カセット２３ｃ、および手差しトレイ２８の設定についても、同様にそれぞれ設定が可能である。すなわち、設定を行う給紙カセットとして、第二の給紙カセット２３ｂ、第三の給紙カセット２３ｃ、手差しトレイ２８を指定すればよい。
【００４７】
なお、上記の実施の形態においては、第二の判断部は、入力部により入力されたデータに基づいて、複数の処理機能のうちのいずれが、用紙セット部にセットされた用紙に対して設定することが可能か否かを判断することとしたが、これに限らず、第二の判断部は、入力部により入力されたデータ、および設定された印刷機能に基づいて、複数の処理機能のうちのいずれが、用紙セット部にセットされた用紙に対して設定することが可能か否かを判断するよう構成してもよい。
【００４８】
また、上記の実施の形態においては、用紙のサイズおよびメディアタイプに基づいて、不許可の設定の際にはグレーアウトして表示することとしたが、これに限らず、非表示、すなわち、不許可の設定の際にはこれらの項目を表示しないよう構成してもよい。こうすることにより、許可設定ができる機能のみを表示して、表示画面をよりシンプルにすることができる。
【００４９】
なお、上記の実施の形態において、複数の印刷機能の設定には、モノクロ印刷かカラー印刷かの設定、および両面印刷か片面印刷かの設定のうちの少なくともいずれか一つを含むよう構成してもよい。
【００５０】
また、上記の実施の形態において、複数の処理機能には、パンチ処理を行うパンチ機能、およびステープル処理を行うステープル機能のうちの少なくともいずれか一つの機能を含むよう構成してもよい。
【００５１】
なお、上記の実施の形態において、デジタル複合機は、用紙に後処理を施す着脱可能な後処理装置を備える構成としたが、これに限らず、この後処理装置は備えない構成としてもよい。また、例えば、画像形成の途中の用紙に中間処理を施す中間処理装置を備える構成としてもよい。
【００５２】
また、上記の実施の形態においては、用紙のサイズとメディアタイプとの双方を入力することとしたが、これに限らず、いずれか一方のみを入力し、この入力データに基づいて、印刷の種別の設定の可否の判断、または印刷機能の設定の可否の判断を行っても構わない。
【００５３】
なお、上記の実施の形態においては、デジタル複合機１１が全ての構成を備えることとしたが、これに限らず、印刷システムが全ての構成を備えることとしてもよい。すなわち、この発明の一実施形態に係る印刷システムは、複数の印刷機能を有する印刷装置と、印刷装置に接続され、印刷装置に対して印刷を要求することができるコンピューターとを含む。印刷装置は、用紙に画像を印刷する印刷部と、印刷部によって画像が印刷される用紙をセットする用紙セット部とを備える。印刷装置およびコンピューターのいずれか一方は、印刷に関連するデータを表示する表示部と、用紙セット部にセットされる用紙のサイズおよび用紙のメディアタイプのうちの少なくともいずれか一方のデータを入力させる入力部と、入力部により入力されたデータに基づいて、複数の印刷機能のそれぞれについて、用紙セット部にセットされた用紙に対して設定することが可能か否かを判断する第一の判断部と、第一の判断部による判断結果を表示部に表示させるよう制御する制御部とを備える。このような構成としてもよい。具体的には、表示部としてコンピューターに接続されたディスプレイとしてもよく、入力や押下については、マウスを使用したクリック、キーボードからの入力としてもよい。
【００５４】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５５】
この発明に係る印刷装置、および印刷システムは、印刷ミスのおそれを低減することが要求される場合に、特に有効に利用される。
【符号の説明】
【００５６】
１１  デジタル複合機、１２  制御部、１３  操作部、１４  画像読み取り部、１５  画像形成部、１６  ハードディスク、１７  ファクシミリ通信部、１８  ネットワークインターフェース部、１９  用紙セット部、２１  表示画面、２２  ＡＤＦ、２３ａ，２３ｂ，２３ｃ  給紙カセット、２４  公衆回線、２５  ネットワーク、２６ａ，２６ｂ，２６ｃ  コンピューター、２７  印刷システム、２８  手差しトレイ、２９  排出トレイ、３１  テンキー、３２  スタートキー、３３  電源キー、３４  メニューキー、３５  登録キー、３６  リセットキー、４１  後処理装置、４２  パンチ機構、４３  ステープル機構、４４  製本機構  ５１ａ，５１ｂ，５１ｃ，５１ｄ  作像ユニット、５２  作像器、５３  ＬＳＵ、５４  転写ベルト、５５ａ，５５ｂ  駆動ローラー、６１ａ，６３ａ，６３ｂ，６６ａ，６８ａ  メッセージ、６１ｂ，６４ａ，６４ｂ，６４ｃ，６５ｂ，６５ｃ，６５ｄ，６６ｂ，６８ｂ，７０ａ，７０ｂ，７１ａ，７１ｂ，７５ｄ  表示、６２ａ，６２ｂ，６２ｃ，６５ａ，６７ａ，６７ｂ，６９ａ，６９ｂ，６９ｃ，７２ａ，７２ｂ，７５ａ，７５ｂ，７５ｃ  選択キー、７３  プレビュー画像、７４  ウィンドウ。
【図１】
2016068353.tif 000003
【図２】
2016068353.tif 000004
【図３】
2016068353.tif 000005
【図４】
2016068353.tif 000006
【図５】
2016068353.tif 000007
【図６】
2016068353.tif 000008
【図７】
2016068353.tif 000009
【図８】
2016068353.tif 000010
【図９】
2016068353.tif 000011
【図１０】
2016068353.tif 000012
【図１１】
2016068353.tif 000013
【図１２】
2016068353.tif 000014